(57)【要約】      （修正有）【課題】マラソン大会の現地で、ウエアーを着替えることなく着ている競技用ウエアーの上からまたは、厚手の服の上からでも短時間で一人でも簡単に胸面、背面に装着できるゼッケンホルダーを提供する。【解決手段】両端にクリップ３を備え、長さを調整するアジャスター２を設け、伸縮素材を用いたストラップ４で構成したゼッケンホルダーと、そのゼッケンホルダーを用いて競技者の番号が記載されたゼッケンシート５を、競技者の胸面、又は背面に装着できるようにしたことを特徴としてゼッケン６を構成する。【選択図】図２
0003167498.tif 000002
【実用新案登録請求の範囲】
【請求項１】
両端にクリップ３を備え、長さを調整するアジャスター２を設け、伸縮素材を用いたストラップで構成したことを特徴とするゼッケンホルダー。
【請求項２】
上記ストラップはポリウレタンで構成したことを特徴とするゼッケンホルダー。
【請求項３】
請求項１又は請求項２記載のゼッケンホルダーを用いて競技者の番号が記載されたゼッケンシートを、競技者の胸面、又は、背面に装着できるようにしたことを特徴とするゼッケン。
【考案の詳細な説明】
【技術分野】
【０００１】競技者の識別番号が記載されたゼッケンシートをクリップ付きストラップで着脱できるゼッケンホルダーに関する。
【背景技術】
【０００２】従来よりマラソン等のスポーツ競技者が番号やチーム名を表示したゼッケンシートをヒモや安全ピンなどでウエアーの胸や背中に付けることにより競技者を識別するのに利用している。現状マラソン大会の多くは当日それまでの参加手続きにより郵送された引換券を持って現地でゼッケンシートを受け取り、ゼッケンシートとともに支給される安全ピン８ケ（胸面側４ケ、背面側４ケ）により各人がゼッケンシートを装着しているが、一時に集中するため更衣室も大混雑になり、ゼッケンシートを付けるためにウエアーを床に広げるスペースも確保しづらい現状がある。開始時間との関係で混雑のため、やむを得ず屋外で着替えなければならない場合もある。冬などの寒い時期には競技者にとって競技前の短時間にゼッケンシートをつけ、着替えることが苦痛に感じられる。またマラソンの場合は重ね着などせず、薄着で走る場合が多いためゼッケンシートをつけたウエアーに着替えなければならない。ウエアーを着替えることで冬の寒い時などは体温が奪われ体が冷えてしまう。その上、安全ピンでウエアーなどにつける際には手先の細かな作業が要求されるため子どもでは時間がかかり、またピン先による怪我の危険性が高い。大人であっても正確に歪まずにゼッケンシートを装着するのが難しく、ウエアーを着たままの他人に付けてあげるのにもピン先により肌を刺す危険性もあるため、安全ピンでゼッケンシートを留めることにストレスを感じ、作業上困難を伴う。
【先行技術文献】
【特許文献】
【０００３】
【特許文献１】  実用新案登録第３１１９０１６号公報
【考案の概要】
【考案が解決しようとする課題】
【０００４】本考案では安全ピンによるゼッケンシート装着における次のような課題を解決することを目的とする。
１）マラソン大会の現地で、ウエアーを着替えることなく着ている競技用ウエアーの上からまたは、厚手の服の上からでも短時間で一人でも簡単に胸面、背面のゼッケンシートが装着できるようにする。
２）安全ピンを使用するのでウエアーに穴が開き、ピン先による怪我の危険性があり、使用後の安全ピンは使い捨てになる場合が多いので、安全ピンを使用しないで装着する。
３）ジャージウエアーなどのファスナー付きのウエアーに安全ピンでゼッケンシートを付けた時は装着したゼッケンシートのためファスナーを下げることができず競技が終了するまでウエアーを脱ぐことができなかったのでウエアーを容易に脱げるようにする。
４）安全ピン以外で、プラスチックホックなどでゼッケンシートを留める場合はゼッケンシートに穴を開けないとしっかり固定できず、ジャンパーなど厚手の服では使用が不可能であった。またコンプレッションウエアーなど薄くピッタリする生地には破れたり、はじけて飛んでしまい紛失する短所があったので、確実にゼッケンシートを留めるようにする。
【課題を解決するための手段】
【０００５】両端にクリップ３を備え、長さを調整するアジャスター２を設け、伸縮素材を用いたストラップで構成したことを特徴とするゼッケンホルダー。【０００６】上記ストラップはポリウレタンで構成したことを特徴とするゼッケンホルダー。【０００７】ゼッケンホルダーを用いて競技者の番号が記載されたゼッケンシートを競技者の胸面、又は背面に装着できるようにしたことを特徴とするゼッケン。
【考案の効果】
【０００８】本考案のゼッケンホルダーを用いることにより、次のような効果がある。
１）マラソン大会の現地で、ウエアーを着替えず、着ている競技用ウエアーの上からまたは厚手の服の上からでも短時間で一人でも簡単に胸面、背面のゼッケンシートが装着できる。
２）クリップを使用しているのでウエアーに穴が開かず、ピン先による怪我の心配も無くなり、安全であり、使い捨てにならず繰り返し使用できる。
【図面の簡単な説明】
【０００９】
【図１】本考案のゼッケンホルダーの構成
【図２】本考案のゼッケンホルダーを用いて前後にゼッケンシートをつけるときのゼッケンの構成
【図３】本考案のゼッケンホルダーを用いて前にゼッケンシートをつけるときのゼッケンの構成
【考案を実施するための形態】
【００１０】図１は本考案のゼッケンホルダーの構成を示す。
ゼッケンホルダー１は、両端にクリップ３を備え、ストラップの長さを調整できるアジャスター２を設けた伸縮素材を用いたストラップである。
クリップ３は樹脂製でゼッケンシートを挟み保持力が強く、ワンタッチで着脱できる。
アジャスター２はストラップの長さ調整するための樹脂製の略四角状で、中心軸２３の前後に２つの通し穴２１、２２を備えている。
ストラップ４をクリップ３につけるときは、ストラップ４の片端をアジャスター２の中心軸２３に固定し、次にクリップ３の穴を通し、アジャスター２の通し穴２１と通し穴２２を経て、ストラップ４の他端を、もう一つのクリップ３の穴に接続固定する。
ストラップ４はポリウレタン製で透明であり、引っ張り強度があり、伸縮することにより、圧迫感がなくなる。ずれにくく、フィット感が良く、いろんな体型の競技者に対し適応可能である。
【００１１】  図２は、本考案のゼッケンホルダーを用いて前後にゼッケンシートをつけるときのゼッケンの構成である。
左右の肩に本考案のゼッケンホルダーを用いて前後のゼッケンシートを装着し、同じく左右の胴体にゼッケンホルダー１を用いてゼッケンシート５を固定している。
【００１２】      図３は、本考案のゼッケンホルダーを用いて前にゼッケンシートをつけるときのゼッケンの構成である。
胴体の周りに本考案の１本のゼッケンホルダー１を用いて、前面のゼッケンシート５を固定している。
【００１３】本考案のゼッケンホルダーを使用することで、一人でゼッケンシートを着脱できるばかりでなく、安全ピンを使用しないのでピン先によるケガの心配、使用後の廃棄による怪我の心配もなくなる。
【産業上の利用可能性】
【００１４】マラソン大会などで参加競技者などが利用することでゼッケンシート装着の利便性が飛躍的に高まる。
【符号の説明】
【００１５】１  ゼッケンホルダー
２  アジャスター
２１  通し穴
２２  通し穴
２３  中心軸
３  クリップ
４  ストラップ
５  ゼッケンシート
６  ゼッケン
【図１】
0003167498.tif 000003
【図２】
0003167498.tif 000004
【図３】
0003167498.tif 000005